(57)【要約】【課題】大入賞口装置本体から取付片を突出させることなく当該大入賞口装置本体を台板部材にネジ止めにより強固に接続固定する。【解決手段】台板部材７００の枠状部７１１の下側部に設けられた係止部７７０Ｌを大入賞口装置本体５００の前記溝部５６４に係止し、台板部材７００の枠状部７１１の上側部に設けられたネジ締着部７３５を前記大入賞口装置本体５００の前記一対の左前側段部６３５に挿入し、取付ネジ８０１Ｌのねじ部を前記一対のネジ締着部７３５の前記ネジ挿通孔７３７に挿通し左前側段部６３５のネジ螺入部５５３に螺入して一対の取付ネジ８０１Ｌを締め付けることで、台板部材７００に大入賞口装置本体５００をネジ止めしているので、大入賞口装置本体５００の外面にはネジ止め用の突出する部分を無くすことができる。【選択図】図１０
2010284291.tif 000002
【特許請求の範囲】
【請求項１】
遊技板を貫通する取付孔に取り付け固定される大入賞口装置であって、
横長の箱状に形成され、下面前側の両脇に一対の溝部が形成され、上面前側の両隅に下方に凹む一対の段部が形成され、当該一対の段部の底面にネジ螺入部が形成され、前面に遊技球が入球する大入賞口を有し、当該大入賞口を開閉する開閉扉を開閉自在に支持する大入賞口装置本体と、
枠状に形成され内側に前記大入賞口装置本体の前面側が嵌入される枠状部を有し、当該枠状部の下側部に前記大入賞口装置本体の前記一対の溝部に係止する一対の係止部が設けられ、前記枠状部の上側部の両脇に前記大入賞口装置本体の前記一対の段部に挿入する一対のネジ締着部が形成され、当該一対のネジ締着部にネジ挿通孔が形成され、前記枠状部の外周にフランジ状に形成された台板が設けられ、前記枠状部が前記遊技板の前記取付孔に挿入された状態で前記台板が前記遊技板の前面にネジ止めされる台板部材と、
ねじ部が前記一対のネジ締着部の前記ネジ挿通孔に挿通し前記一対の段部の前記ネジ螺入部に螺入して締め付けられることで、前記台板部材を前記大入賞口装置本体にネジ止め固定する一対の取付ネジと、
を備えることを特徴とする大入賞口装置。
【請求項２】
前記台板部材は、前記枠状部の背面側の両脇にネジ止めにより取り付けられる一対の係止部形成部材を備え、
前記台板部材の前記一対の係止部は、前記一対の係止部形成部材に設けられていることを特徴とする請求項1に記載の大入賞口装置。
【請求項３】
前記台板の背面側には、透光性を有する透明部材が着脱可能な状態で取り付けられるとともに、当該台板には、前記透明部材の一部を前面側に露出させる貫通部が設けられ、前記一対の係止部形成部材には、前方に突出する押圧部が設けられ、当該押圧部は、前記一対の係止部形成部材が前記台板部材にネジ止めされた状態で、前記台板の背面側に取り付けられた前記透明部材を押さえることを特徴とする請求項２に記載の大入賞口装置。
【発明の詳細な説明】
【技術分野】
【０００１】
本発明は遊技板を貫通する取付孔に取り付け固定される大入賞口装置に関するものである。
【背景技術】
【０００２】
従来、パチンコ機と呼ばれる遊技機は、遊技球が球送り装置により１球ずつ発射レール上に送り出され、送り出された遊技球が打球発射装置に打ち出されて遊技盤の案内レールの外レールに沿って遊技領域に導かれ、この遊技領域に導かれた遊技球が入賞口に入賞することで所定数の賞球を払い出すようになっている。
【０００３】
また、一般的なパチンコ機においては、一定の条件で大当たりとなった場合などに、通常時は閉止されている開閉扉が開放駆動されて多数の遊技球を大入賞口へ導くパチンコ機の大入賞口装置（いわゆるアタッカー式やチューリップ式の比較的大型の打球入賞装置をいう。）が知られている。この種の大入賞口装置には、例えば特許文献１に記載のように、大入賞口装置本体と、この大入賞口装置本体を遊技盤に取り付けるための台板（台板部材）が備えられている。
【０００４】
大入賞口装置本体には、開閉扉奥側に大入賞口が備えられると共に、開閉扉を駆動するソレノイドや、入賞球を検知する検出センサなどが備えられている。
【０００５】
台板部材は、その表側に絵柄や色彩などの装飾が取り付けられるパチンコ機に合わせて施され、また、遊技盤のパチンコ機に合わせた形状に形成されており、このような台板部材によりパチンコ機の装飾効果が高められている。このような台板部材には、大入賞口装置本体がねじなどにより固定されると共に、大入賞口装置本体へ入賞球を導くために開口された開口部が設けられ、遊技盤に当該台板部材を固定するためにねじが取り付けられる取付孔が設けられている。一方、大入賞口装置本体には、台板部材にネジ止め固定するための取付片が側面から突出して設けられている。
【０００６】
ここで、近年実用化された一般的なパチンコ機は、例えば特許文献２に記載のように、遊技領域のほぼ中央に配置される中央構造物としてのセンター役物と、前記センター役物の背面側に配置され、前記始動口に遊技球が受け入れられることで、図柄の変動表示を行う可変表示装置を更に備えている。
【０００７】
センター役物には、例えば可変表示装置や俗にクルーンと呼ばれる振分装置等、他の遊技部材に比べれば大型の中央装置が配置されることが多い。ここで近年、可変表示装置を用いた画像による演出が高度化してきており、これに対応して可変表示装置が大型化し、センター役物も大型化してきている。
【先行技術文献】
【特許文献】
【０００８】
【特許文献１】特開２００４−１７３８１１号公報（段落００１５〜００１８、図１、図２）
【特許文献２】特開２００９−４５４９４号公報（段落００１１〜００１４、図１、図２）
【発明の概要】
【発明が解決しようとする課題】
【０００９】
上記のように従来のパチンコ機において、センター役物を大型化するためには、センター役物の下側に設けられる始動入賞口、サイドランプ、大入賞口装置本体等の各種役物を高密度で配置する必要があり、大入賞口装置本体の前方から見た寸法を極力小さくする必要がある。しかしながら、従来の大入賞口装置本体では、台板部材にネジ止め固定するための取付片が側面から突出して設けられているので、この取付片が各種役物を高密度で配置する場合の阻害要因になるとともに、この取付片に不用意に力が加えられる可能性が高く、この場合に取付片が破損することが多々あった。
【００１０】
本発明は、上記の問題に鑑み、大入賞口装置本体から取付片を突出させることなく当該大入賞口装置本体を台板部材にネジ止めにより強固に接続固定することができる大入賞口装置を提供することを目的とする。
【課題を解決するための手段】
【００１１】
請求項１に記載の発明は、遊技板を貫通する取付孔に取り付け固定される大入賞口装置であって、横長の箱状に形成され、下面前側の両脇に一対の溝部が形成され、上面前側の両隅に下方に凹む一対の段部が形成され、当該一対の段部の底面にネジ螺入部が形成され、前面に遊技球が入球する大入賞口を有し、当該大入賞口を開閉する開閉扉を開閉自在に支持する大入賞口装置本体と、枠状に形成され内側に前記大入賞口装置本体の前面側が嵌入される枠状部を有し、当該枠状部の下側部に前記大入賞口装置本体の前記一対の溝部に係止する一対の係止部が設けられ、前記枠状部の上側部の両脇に前記大入賞口装置本体の前記一対の段部に挿入する一対のネジ締着部が形成され、当該一対のネジ締着部にネジ挿通孔が形成され、前記枠状部の外周にフランジ状に形成された台板が設けられ、前記枠状部が前記遊技板の前記取付孔に挿入された状態で前記台板が前記遊技板の前面にネジ止めされる台板部材と、ねじ部が前記一対のネジ締着部の前記ネジ挿通孔に挿通し前記一対の段部の前記ネジ螺入部に螺入して締め付けられることで、前記台板部材を前記大入賞口装置本体にネジ止め固定する一対の取付ネジと、を備えることを特徴とする。
前記台板部材は、前記枠状部の背面側の両脇にネジ止めにより取り付けられる一対の係止部形成部材を備え、前記台板部材の前記一対の係止部は、前記一対の係止部形成部材に設けられていることを特徴とする（請求項２）。
前記台板の背面側には、透光性を有する透明部材が着脱可能な状態で取り付けられるとともに、当該台板には、前記透明部材の一部を前面側に露出させる貫通部が設けられ、前記一対の係止部形成部材には、前方に突出する押圧部が設けられ、当該押圧部は、前記一対の係止部形成部材が前記台板部材にネジ止めされた状態で、前記台板の背面側に取り付けられた前記透明部材を押さえることを特徴とする（請求項３）。
従来の大入賞口装置本体では、台板部材に大入賞口装置本体をネジ止め固定するための取付片が側面から突出して設けられているので、各種役物を高密度で配置する場合の阻害要因になるとともに、この取付片に不用意に力が加えられる可能性が高く、この場合に取付片が破損することが多々あった。
これに対し、本発明では、台板部材の枠状部の下側部に設けられた一対の係止部を大入賞口装置本体の一対の溝部に係止し、前記台板部材の枠状部の上側部に設けられたネジ締着部を前記大入賞口装置本体の前記一対の段部に挿入し、一対の取付ネジのねじ部を前記一対のネジ締着部の前記ネジ挿通孔に挿通し前記一対の段部の前記ネジ螺入部に螺入して当該一対の取付ネジを締め付けることで、前記台板部材に前記大入賞口装置本体をネジ止めしているので、大入賞口装置本体から取付片を突出させることなく当該大入賞口装置本体を台板部材にネジ止めにより強固に接続固定することができる。
【発明の効果】
【００１２】
本発明によれば、大入賞口装置本体から取付片を突出させることなく当該大入賞口装置本体を台板部材にネジ止めにより強固に接続固定することができ、これにより各種役物を高密度で配置する場合の阻害要因を無くして遊技機の役物の配置の高密化を行うと共に、破損しにくくガタツキの無い強固なネジ止め構造を提供でき、遊技機の信頼性を向上できる。
【図面の簡単な説明】
【００１３】
【図１】本発明に係る実施形態の遊技機の構成例を示した正面図である。
【図２】本発明に係る実施形態の制御手段のブロック図である。
【図３】本発明に係る実施形態の遊技盤を示す正面図である。
【図４】本発明に係る実施形態の遊技盤を示す斜視図である。
【図５】本発明に係る実施形態の大入賞口ユニットを示す分解斜視図である。
【図６】本発明に係る実施形態の大入賞口装置本体の組み立てた状態の斜視図である。
【図７】本発明に係る実施形態の台板部材の斜視図である。
【図８】本発明に係る実施形態の大入賞口ユニットの前側右斜め上方から見た斜視図である。
【図９】本発明に係る実施形態の大入賞口ユニットの後側右斜め上方から見た斜視図である。
【図１０】本発明に係る実施形態の台板部材に大入賞口装置本体を取り付け固定した状態における左側の透明部材の周辺部の断面図である。
【図１１】本発明に係る実施形態の大入賞口ユニットの開閉扉が大入賞口を開放した状態を示す斜視図である。
【図１２】本発明に係る実施形態の開閉扉の開閉動作を詳細に説明する説明図である。
【発明を実施するための形態】
【００１４】
以下、本発明の実施形態について図面を参照しながら具体的に説明する。
【００１５】
図１は  遊技機の構成例を示した正面図である。
【００１６】
初めに遊技機全体の説明をする。
図１において、遊技機１は、機枠又は機体として所定の外郭方形枠サイズに構成された固定保持用の外枠１１と、この外枠１１の前側に設けられ、この外枠１１に合わせて方形枠サイズに構成された前枠１２とを備えている。
【００１７】
前枠１２は、正面左側上下部に配設された開閉連結支持機構１３ａ、１３ｂを介して外枠１１に開閉（片持ち横開き）可能に組付けるとともに、正面右側内部に配設された施錠装置１４を利用して閉鎖状態に保持される。
【００１８】
前枠１２の正面側には、前枠１２の前側面域に合わせた方形状のガラス扉１５及び受け皿ユニット１６が共に横開き開閉及び着脱が可能に組付けられており、施錠装置１４および図示しないロック機構を利用して前枠１２の前面を覆う閉止状態で保持される。
【００１９】
受け皿ユニット１６には、球払出口から払い出された遊技球を貯留して整列させる球皿部１７が設けられる。
【００２０】
前枠１２には、パチンコゲームを展開し得る遊技盤１０１が、着脱交換可能にセット保持されている。遊技盤１０１は、前面の遊技領域１０３を前記ガラス扉１５の正面に臨ませている。
【００２１】
前枠１２の前記ガラス扉１５の下方位置には、発射部２９２（図２参照）を備える操作ハンドル１１３が配置され、発射部２９２の駆動によって発射された遊技球がレール１０２ａ、１０２ｂ間を上昇して遊技盤１０１の上部位置に達した後、遊技領域１０３内を落下する。遊技領域１０３には、遊技球を不特定の方向に向けて落下させるための複数の釘に加え、遊技球の落下方向を変化させる風車や入球口が配置されている。
【００２２】
遊技領域１０３の中央部分にはセンター役物２が配置されている。センター役物２には、例えば液晶表示器（ＬＣＤ）を用いた図柄表示部１０４が配置されている。
【００２３】
図柄表示部１０４の下方には遊技球を受入れ可能な第１始動口１０５が配置され、第１始動口１０５の下方には一対の可動片１２０ａ（図３参照）を有する第２始動口１２０が配置されている。第２始動口１２０は一対の可動片１２０ａ（図３参照）が閉状態のときに遊技球の受入れを困難にし、開状態のときに第１始動口１０５よりも遊技球の受入れを容易にする。
【００２４】
図柄表示部１０４の左側には、遊技球の通過を検出し、第２始動口１２０を一定時間だけ開放させる普通図柄の抽選を行うための入賞ゲート１０６が配置されている。入賞ゲート１０６の下方位置等には、遊技球が入球したときに所定数（例えば１０個）の賞球払い出しの権利を獲得する普通入賞口１０７ａ、１０７ｂ、１０７ｃが配置されている。遊技領域１０３の最下部にはどの入球口にも入球しなかった遊技球を回収する回収口１０８が配置されている。
【００２５】
図柄表示部１０４の右下には、遊技球が入球したときに所定数（例えば１０個）の賞球払い出しの権利を獲得する普通入賞口１０７ｄが配置されている。
【００２６】
さらに、普通入賞口１０７ｄの下には、主制御基板２０１（図２参照）に設けられた第１特別図柄抽選手段による抽選結果を表示する第１特別図柄表示器８２（図３参照）、及び主制御基板２０１（図２参照）に設けられた第２特別図柄抽選手段による抽選結果を表示する第２特別図柄表示器８３（図３参照）が配置されている。これら両表示器８２、８３には特別図柄が変動表示されていると共に、所定時間経過後に所定の図柄が停止表示され、始動口への遊技球の入球を契機とする抽選の結果が表示されている。両表示器８２、８３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００２７】
特別図柄の変動表示中に第１始動口１０５、あるいは第２始動口１２０に遊技球が入球すると、当該入球によって得られる特別図柄の変動表示の権利（以下「保留球」という）が留保されている。この留保された保留球の数は第１特別図柄保留表示器８４（図３参照）及び第２特別図柄保留表示器８５（図３参照）に表示されている。
【００２８】
特別図柄の変動表示中に入賞ゲート１０６に遊技球が入球すると、普通図柄抽選手段による抽選が行われるが、この抽選結果を表示する普通図柄表示器８１（図３参照）が上記両表示器８２、８３の付近に配置されている。普通図柄の変動表示中に入賞ゲート１０６に遊技球が入球することによって得られる普通図柄の変動表示の権利、すなわち保留球の数が普通図柄保留表示器８６（図３参照）に表示されている。
【００２９】
図柄表示部１０４は第１始動口１０５、または第２始動口１２０に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域１０３の下方に位置する大入賞口ユニット９における開閉扉９１が一定時間、開放する動作を所定回数（例えば１５回）繰り返し、入球した遊技球に対応する賞球が払い出されている。
【００３０】
大入賞口ユニット９は遊技盤１０１に設けられた大入賞口９３を開閉する開閉扉９１を開閉自在に支持し、開閉扉９１が大入賞口９３の前面（表面）側に位置した状態で、遊技盤１０１の背面に設置されている。開閉扉９１は通常時には閉鎖して大入賞口９３を閉塞しており、大入賞口９３に遊技球が入球することを阻止している。大当たり遊技が開始されたときには、大入賞口開閉ソレノイド５２２（図５参照）への通電により開閉扉９１が開放して大入賞口９３を開放させる。大入賞口９３の開放時には、開閉扉９１が遊技球を大入賞口９３内に導くための受け皿として機能するため、大入賞口９３に遊技球が入球可能となる。
【００３１】
また、前記前枠１２の上側と下側には複数のライト１１２を備えた演出ライト１１１（ランプユニット）が設置されている。
【００３２】
前枠１２の下側には、受け皿ユニット１６が設置されている他、前述の操作ハンドル１１３が配置されている。操作ハンドル１１３は遊技盤１０１から遊技者側へ突出し、上記発射部の駆動によって遊技球を発射させる際に遊技者によって操作されている。
【００３３】
操作ハンドル１１３は上記発射部を駆動させて遊技球を発射させる発射指示部材１１４を備えている。発射指示部材１１４は操作ハンドル１１３の外周部に、遊技者から見て右回りに回転可能に設けられ、遊技者によって直接操作されているときに発射部に遊技球発射の指示を与える。操作ハンドル１１３には遊技者が発射指示部材１１４を直接操作していることを検出するセンサ等が内蔵されている。
【００３４】
センター役物２における図柄表示部１０４の上側及び側方（図１においては紙面右側）には、演出用の役物（以下、「演出役物」という）１１５、１１６が配置されている。演出役物１１５、１１６は例えばモータによって駆動されるようになっている。
【００３５】
前枠１２の下側にはまた、遊技者による操作を受け付けるチャンスボタン１１７が配置されている。チャンスボタン１１７の操作は例えば遊技中における特定のリーチ演出に際し、チャンスボタン１１７の操作を促すガイダンスが表示されている間有効となる。
【００３６】
前枠１２には、演出効果音、または不正を知らしめる音声を出力するスピーカ２７７（図２参照）が組み込まれている。スピーカ２７７は高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
【００３７】
（制御手段の内部構成）
図２に遊技機１の制御手段の内部構成を示すが、ここに示すように制御手段２００は主に主制御基板２０１、副制御基板２０２、賞球制御基板２０３、及びランプ制御基板２０６の複数の制御基板から構成されている。
【００３８】
主制御基板２０１は遊技機１の遊技に関する基本動作を制御し、ＲＯＭ２０１ｂに記憶されたプログラムに基づき、遊技内容の進行に伴う基本処理を実行するＣＰＵ２０１ａと、ＣＰＵ２０１ａの演算処理時におけるデータのワークエリアとして機能するＲＡＭ２０１ｃ等を備える。主制御基板２０１は第１始動口１０５、もしくは第２始動口１２０への遊技球の入球を契機として、大当たり抽選を行うと共に、その抽選結果に基づいてＲＯＭ２０１ｂに記憶されている演出に係わるコマンドの選択を行う。
【００３９】
主制御基板２０１の入力側には、第１始動口１０５に遊技球が入球したことを検出する第１始動口検出部２２１と、第２始動口１２０に遊技球が入球したことを検出する第２始動口検出部２２５と、入賞ゲート１０６を遊技球が通過したことを検出するゲート検出部２２２と、普通入賞口１０７ａ、１０７ｂ、１０７ｃに入球した遊技球を検出する普通入賞口検出部２２３と、大入賞口ユニット９に入球した遊技球を検出する大入賞口検出部２２４とが接続されている。
【００４０】
主制御基板２０１の出力側には役物作動装置２３１が接続されている。本実施形態においては上記役物作動装置２３１を、開閉扉９１を開閉させる駆動装置としての大入賞口開閉ソレノイド５２２（図５参照）と、第２始動口１２０を開閉させる第２始動口開閉ソレノイドとによって構成している。
【００４１】
役物作動装置２３１は主制御基板２０１によって制御され、大当たり遊技（長当たり遊技、短当たり遊技）時に大入賞口開閉ソレノイド５２２に通電して開閉扉９１を開放させ、また上記普通図柄の当選によって第２始動口開閉ソレノイドに通電して第２始動口１２０を開閉する。
【００４２】
副制御基板２０２の入力側には上記のチャンスボタン１１７が操作されたことを検出するチャンスボタン検出部２２０が接続されている。この副制御基板２０２は主に遊技中における演出を制御し、主制御基板２０１より送信されているコマンドに基づいて演出の抽選及び演出処理を実行するＣＰＵ２０２ａと、プログラム及び過去の演出パターンを記憶するＲＯＭ２０２ｂと、ＣＰＵ２０２ａの演算処理時におけるデータのワークエリアとして機能するＲＡＭ２０２ｃ等を備えている。
【００４３】
副制御基板２０２は主制御基板２０１より送信されている演出に係るコマンドを受信すると、このコマンドに基づいて抽選を行い、演出背景パターン、リーチ演出パターン、登場キャラクター等の演出を確定すると共に、当該確定した演出の制御を行う。副制御基板２０２の出力側には図柄表示部１０４が接続され、抽選によって決定された内容の通りに図柄表示部１０４において装飾図柄演出を展開する。副制御基板２０２には図柄表示部１０４に表示させる画像データを書き込むＶＲＡＭ２０２ｄも備えられている。
【００４４】
通常時には、ＣＰＵ２０２ａがＲＯＭ２０２ｂに記憶されたプログラムを読み込んで、背景画像表示処理、図柄画像表示及び変動処理、キャラクター画像表示処理など各種画像処理を実行し、必要な画像データをＲＯＭ２０２ｂから読み出してＶＲＡＭ２０２ｄに書き込む。背景画像、図柄画像、キャラクター画像は表示画面上において図柄表示部１０４に重畳表示されている。すなわち、図柄画像やキャラクター画像は背景画像よりも手前に見えるように表示されている。このとき、同一位置に背景画像と図柄画像が重なる場合、Ｚバッファ法等、周知の陰面消去法により各画像データのＺバッファのＺ値を参照することで、図柄画像を優先してＶＲＡＭ２０２ｄに記憶させる。
【００４５】
副制御基板２０２の出力側にはスピーカ２７７が接続され、副制御基板２０２において確定した通りに音声を出力する。副制御基板２０２の出力側にはまた、ランプ２６２、演出ライト１１１、及び演出役物作動装置２５４を制御するランプ制御基板２０６が接続されている。演出役物作動装置２５４は演出役物１１５，１１６等の、演出用の役物を作動させるモータ等によって構成されている。ランプ制御基板２０６は副制御基板２０２より送信されたコマンドに基づき、プログラムを作動させて演出処理を実行するＣＰＵ２０６ａと、各種演出パターンデータを記憶するＲＯＭ２０６ｂと、ＣＰＵ２０６ａの演算処理時におけるデータのワークエリアとして機能するＲＡＭ２０６ｃ等を備えている。
【００４６】
ランプ制御基板２０６は遊技盤１０１や台枠等に設けられている各種ランプ２６２に対する点灯制御等を行う他、演出ライト１１１における複数のライト１１２に対する点灯制御等を行い、各ライト１１２からの光の照射方向を変更するためにモータに対する駆動制御等を行う。ランプ制御基板２０６はまた、副制御基板２０２より送信されたコマンドに基づき、演出役物１１５、１１６を動作させる各種モータに対する駆動制御等を行う。
【００４７】
主制御基板２０１には賞球制御基板２０３が双方向に送信可能に接続されている。賞球制御基板２０３はＲＯＭ２０３ｂに記憶されたプログラムを作動させて賞球制御の処理を実行するＣＰＵ２０３ａと、ＣＰＵ２０３ａの演算処理時におけるデータのワークエリアとして機能するＲＡＭ２０３ｃ等を備え、ＲＯＭ２０３ｂに記憶されたプログラムに基づき、賞球制御を行う。
【００４８】
賞球制御基板２０３は接続されている払出部２９１に対して入球時の賞球数を払い出す制御を行う。また発射部２９２に対する遊技球の発射の操作を検出し、遊技球の発射を制御する。払出部２９１は遊技球の貯留部から所定数を払い出すためのモータ等からなる。
【００４９】
賞球制御基板２０３はこの払出部２９１に対して、各入球口（第１始動口１０５、第２始動口１２０、普通入賞口１０７ａ、１０７ｂ、１０７ｃ、１０７ｄ、大入賞口９３）に入球した遊技球に対応した賞球数を払い出す制御を行う。発射部２９２は遊技者による遊技操作を検出するセンサ（図示しない）と、遊技球を発射させる図示しないソレノイド等を備え、遊技のための遊技球を発射する。賞球制御基板２０３は発射部２９２のセンサにより遊技操作を検出すると、検出された遊技操作に対応してソレノイド等を駆動させて遊技球を間欠的に発射させ、遊技盤１０１の遊技領域１０３に遊技球を送り出す。
【００５０】
図３及び図４は遊技盤１０１を示す正面図及び斜視図である。
【００５１】
図３及び図４において、遊技盤１０１は、合板の前面に樹脂シートを貼り付けた構造の遊技板３００にセンター役物２等の各種所物や遊技釘３０３を配置したものである。
【００５２】
遊技盤１０１の遊技領域１０３の中央には、センター役物２が設けられている。
【００５３】
センター役物２は、前記遊技領域１０３の中央に設けられ、開口部２２が形成された枠部材２１を主要構成とする前側ユニット３を有し、当該開口部２２の背面側に図柄表示部１０４が配置されている。図柄表示部１０４の開口部２２から露出する部分は、画面４００となっている。枠部材２１の表面には、金色の鍍金が施されている。
【００５４】
センター役物２の枠部材２１の上側中央の若干左寄りには、曲面部２３が設けられており、遊技領域１０３は、この曲面部２３から左右に分岐して左打ち用の遊技領域３０１と勢いが付きすぎた遊技球を減速させて回収口１０８に導く線路３０２に分けられている。
【００５５】
左打ち用の遊技領域３０１には、多数本の遊技釘３０３とともに、入賞ゲート１０６、普通入賞口１０７ａ、１０７ｂ、１０７ｃ、風車１０９、第１始動口１０５、第２始動口１２０、大入賞口ユニット９等が配置されている。大入賞口ユニット９は、遊技板３００を貫通する取付孔９２に取り付け固定される。
【００５６】
一方、枠部材２１の左側壁３１には、左打ち用の遊技領域３０１を落下する遊技球が付近の遊技釘３０３の誘導により比較的低い確率で突入するワープ経路３２が設けられている。
【００５７】
枠部材２１の下壁３３の正面側の上面には、ワープ経路３２を通過した遊技球が転がるステージ面３４が形成されている。ステージ面３４の中央には遊技球を第１始動口１０５に誘導する誘導孔３５の入り口３５ａ（図４参照）が設けられている。誘導孔３５の出口３５ｂは、第１始動口１０５の上方に位置する。ステージ面３４の手前には、ステージ面３４から転落した遊技球が転がるステージ面３６が形成されている。ステージ面３６の中央には、遊技球を第１始動口１０５に誘導する誘導溝３７が形成されている。
【００５８】
枠部材２１の左側壁３１、下壁３３、右側壁３８、上壁３９により囲まれる領域は、上述の開口部２２となっている。
【００５９】
遊技球は、通常の遊技状態で、曲面部２３よりも左下側に落下して左打ち用の遊技領域３０１に導かれ、遊技釘３０３や風車１０９に衝突しながら、あるものは、ワープ経路３２、ステージ面３４及び誘導孔３５を通過し第１始動口１０５に落下し、また、あるものは、ステージ面３６及び誘導溝３７を通過し第１始動口１０５に落下し、また、あるものは、ワープ経路３２を介さず直接下方に落下し、一般入賞具２０または第１始動口１０５に入賞し、また、あるものは、アウト球として回収口１０８に集合し、アウト球通路孔を通って遊技盤３の裏面（背面）側に排出される。
【００６０】
図５は、本発明に係る実施形態の大入賞口ユニット９を示す分解斜視図である。
【００６１】
図５において、大入賞口ユニット９は、大入賞口装置本体５００と、台板部材７００と、取付ネジ８０１Ｌ、８０１Ｒとから構成される。
【００６２】
大入賞口装置本体５００は、ケース５０１と、大入賞口開閉扉開閉装置５０２と、遊技球センサ５０３、５０４と、開閉扉９１と、四本の取付ネジ５０５とから構成される。
【００６３】
ケース５０１は、下側ケース５１１と上側ケース５１２とから構成され、大入賞口開閉扉開閉装置５０２と、遊技球センサ５０３、５０４とを収納して四本の取付ネジ５０５にネジ止め固定されるとともに、大入賞口９３（図４参照）を開閉する開閉扉９１を開閉自在に支持するようになっている。
【００６４】
大入賞口開閉扉開閉装置５０２は、ケース５０１に回動自在に支持され、回動により開閉扉９１を開放操作する回動部材５２１と、ケース５０１に支持され、直線運動により回動部材５２１を回動させる大入賞口開閉ソレノイド５２２を備える。
【００６５】
一方、台板部材７００は、台板部材本体７０１と、左右一対の透明部材７０２Ｌ、７０２Ｒと、左右一対の係止部形成部材７０３Ｌ、７０３Ｒと、取付ネジ７０４Ｌ、７０４Ｒとにより構成される。
【００６６】
以下、大入賞口装置本体５００について詳細に説明する。
【００６７】
大入賞口装置本体５００の開閉扉９１は、扉本体４０１と、左右のピン４０２Ｌ、４０２Ｒとから構成される。左右のピン４０２Ｌ、４０２Ｒは、開閉扉９１の左右両端の一方コーナーの近傍に設けられた嵌入穴に嵌入れされて取り付けられている。扉本体４０１は、横長に形成された板状部４０３の裏面の左右両端に略三角形状の係止壁部４０４、４０５を設けたものである。係止壁部４０４の左面の先端側には、突起状の被係止部４０６が突出して設けられている。係止壁部４０４の右面には、板状の被係止部４０７が突出して設けられている。
【００６８】
下側ケース５１１は、透明樹脂を一体形成したものであり、ケース５０１の下面を構成する下側平面部５３１を備え、左右の側壁５３２、５３３及び後側壁部５３４が下側平面部５３１の左右両辺及び後辺から上方に向けて形成されている。下側平面部５３１の前辺の左右の端部には、左前側壁部５３５及び右前側壁部５３６が設けられている。左前側壁部５３５の右側には、下側から開閉扉９１の左のピン４０２Ｌの軸受けを行う溝状の軸受け部５３７が設けられている。右前側壁部５３６の左側には、下側から開閉扉９１の右のピン４０２Ｒの軸受けを行う溝状の軸受け部５３８が設けられている。
【００６９】
遊技球を遊技球センサ５０３、５０４には、遊技球を検出する円形の遊技球検出用貫通孔４１１、４１２がそれぞれ設けられている。下側平面部５３１の上面前側の左右には、遊技球を遊技球センサ５０３、５０４の遊技球検出用貫通孔４１１、４１２に誘導する左右の壁部５３９、５４０が設けられている。下側平面部５３１の上面前側の中央部には、遊技球を遊技球センサ５０３、５０４の遊技球検出用貫通孔４１１、４１２に誘導する左右の傾斜部５４１、５４２が設けられている。
【００７０】
下側平面部５３１における左の壁部５３９及び傾斜部５４１より後ろ側には、遊技球センサ５０３を収納する収納部５４３が設けられ、さらにその後側には、遊技球センサ５０３を通過した遊技球を下方に導く壁部５４５が設けられている。
【００７１】
下側平面部５３１における右の壁部５４０及び傾斜部５４２より後ろ側には、遊技球センサ５０４を収納する収納部５４４が設けられ、さらにその後側には、遊技球センサ５０４を通過した遊技球を下方に導く壁部５４６が設けられている。
【００７２】
下側平面部５３１の中央部には、第１始動口１０５（図４参照）または第２始動口１２０（図４参照）に入賞した遊技球を通過させる筒状部５４７が形成されている。筒状部５４７の下側は開放部５４８になっている。
【００７３】
下側平面部５３１の左前側壁部５３５の後ろ側には、上側ケース５１２の貫通孔６７４に先端側が嵌入するボス５５１が上方に突出して形成されている。ボス５５１の先端にはネジ螺入部５５３が形成されている。ネジ螺入部５５３は、貫通孔６７４を介して外部に露出する。
【００７４】
下側平面部５３１の右前側壁部５３６の後ろ側には、上側ケース５１２の貫通孔６８４に先端側が嵌入するボス５５２が上方に突出して形成されている。ボス５５２の先端にはネジ螺入部５５４が形成されている。ネジ螺入部５５４は、貫通孔６８４を介して外部に露出する。
【００７５】
左前側壁部５３５の前側部には、回動部材５２１の左側に軸部５７６の軸受けを行う軸受け用切欠き部５５５が形成されている。下側平面部５３１の軸受け用切欠き部５５５から右側に所定間隔を置いた位置には、回動部材５２１の右側の軸部５７７の軸受けを行う軸受け部５５６が形成されている。
【００７６】
下側平面部５３１の上面の右側後ろ寄りには、壁部及び突起によってソレノイド５２２のソレノイド本体５９１を収納する収納部５５７が設けられている。収納部５５７には、ソレノイド５２２のコイル５９４の放熱を行う放熱用開口部５５８が下側平面部５３１の板面を貫通して設けられている。
【００７７】
下側平面部５３１には、ネジ螺入部が形成されたボス５５９、５６０、５６１、５６２が上方に突出して形成されている。後側壁部５３４の右側部は、遊技球センサ５０３、５０４及びソレノイド５２２に接続するハーネス５０６（図９参照）をケース外側に延出させるための切り欠き５６３が形成されている。
【００７８】
下側平面部５３１の下面における左側及び左側の前辺近傍の位置には、溝部５６４、５６５｛図６（ｂ）参照｝が左右方向に形成されている。
【００７９】
回動部材５２１は、合成樹脂を素材とし金型で一体形成したものであり、横長の軸部５７１と、横長の軸部５７１の中間部に設けられた係止爪部５７２と、軸部の両端に設けられた左右の板状部５７３、５７４と、左右の板状部５７３、５７４の外側面に設けられた突起状の軸部５７６、５７７と、左右の板状部の内側面の後方上側のコーナーの近傍に設けられたに設けられた突起状の軸部５７８、５７９と、右の板状部に設けられた係止爪部５８０とを備える。
【００８０】
回動部材５２１は、軸部５７６、５７７が下側ケース５１１の軸受け用切欠き部５５５及び軸受け部５５６により回転可能な状態で支持されることで、下側ケース５１１に対して水平方向の回動軸で回動可能な状態で設けられる。係止爪部５７２は、開閉扉９１を閉塞する際に、開閉扉９１の被係止部４０６に上から係止して閉塞方向に力を加えるようになっている。係止爪部５８０は、開閉扉９１を開放する際に、開閉扉９１の被係止部４０７に下から係止して開放方向に力を加えるようになっている。
【００８１】
大入賞口開閉ソレノイド５２２は、ソレノイド本体５９１のソレノイドホルダ５９２の開口５９３にプランジャ５９５をスライド可能な状態で挿入した構造になっている。この大入賞口開閉ソレノイド５２２は、ソレノイド本体５９１のコイル５９４に電流が流れることで、プランジャ５９５をソレノイド本体５９１側に吸引するようになっている。プランジャ５９５の先端側には、リング状部材５９６が接着固定されている。リング状部材５９６には外周に沿って溝部５９７が形成されている。リング状部材５９６とソレノイドホルダ５９２の間にはコイルバネ５９８が介挿されている。コイルバネ５９８は、巻線の内側にプランジャ５９５が挿入されている。リング状部材５９６の溝部５９７には、回動部材５２１の軸部５７８、５７９が挿入される。
【００８２】
このような構造により、大入賞口開閉ソレノイド５２２は、ソレノイド本体５９１のコイル５９４に電流が流れ、プランジャ５９５を後方に吸引して移動させることで回動部材５２１を左側から見て反時計回り方向に回動させ、回動部材５２１の係止爪部５８０により開閉扉９１の被係止部４０７に下から力を加えて、開閉扉９１を開放させる。また、大入賞口開閉ソレノイド５２２は、ソレノイド本体５９１のコイル５９４に電流が流れなくなると、コイルバネ５９８の付勢力によりプランジャ５９５を前方に移動させ、回動部材５２１を左側から見て時計回り方向に回動させ、回動部材５２１の係止爪部５７２により開閉扉９１の被係止部４０６に上から力を加えて、開閉扉９１を閉塞させる。
【００８３】
上側ケース５１２は、透明樹脂を一体形成したものであり、ケース５０１の上面を構成する上側平面部６３１を備え、左右の側壁６３２、６３３及び後側壁部６３４が上側平面部６３１の左右両辺及び後辺から下方に向けて形成されている。上側平面部６３１の前辺の左右の端部には、下方に窪む左前側段部６３５及び右前側段部６３６が設けられている。左前側段部６３５は、下側から垂直面部６７１、水平面部６７２、垂直面部６７３で構成されており、水平面部６７２には、左側のボス５５１のネジ螺入部５５３をケース外部に露出させる貫通孔６７４が形成されている。右前側段部６３６は、下側から垂直面部６８１、水平面部６８２、垂直面部６８３で構成されており、水平面部６８２には、右側のボス５５２のネジ螺入部５５４をケース外部に露出させる貫通孔６８４が形成されている。
【００８４】
左前側段部６３５の右側には、左前側壁部６７５が設けられ、左前側壁部６７５の下側には下側ケース５１１の軸受け部５３７の上側を閉鎖して軸受け部５３７から開閉扉９１の左のピン４０２Ｌが外れるのを防止する突出片６７６が前方に突出して設けられている。
【００８５】
右前側段部６３６の左側には、右前側壁部６８５が設けられ、右前側壁部６８５の下側には下側ケース５１１の軸受け部５３８の上側を閉鎖して軸受け部５３８から開閉扉９１の左のピン４０２Ｒが外れるのを防止する突出片６８６が前方に突出して設けられている。
【００８６】
上側平面部６３１の下面前側の左右には、遊技球を遊技球センサ５０３、５０４の遊技球検出用貫通孔４１１、４１２に誘導する左右の壁部６３９、６４０が設けられている。上側平面部６３１の上面前側の中央部には、垂直壁部６４１が設けられている。
【００８７】
上側平面部６３１の左の壁部６３９及び垂直壁部６４１の左側部より後ろ側には、遊技球センサ５０３を収納する収納部６４３が設けられ、さらにその後側には、遊技球センサ５０３を通過した遊技球を下方に導く壁部６４５が設けられている。
【００８８】
上側平面部６３１の右の壁部６４０及び垂直壁部６４１の右側部より後ろ側には、遊技球センサ５０４を収納する収納部６４４が設けられ、さらにその後側には、遊技球センサ５０４を通過した遊技球を下方に導く壁部６４６が設けられている。
【００８９】
上側平面部６３１の中央部には、第１始動口１０５または第２始動口１２０に入賞した遊技球を通過させる筒状部６４７が形成されている。筒状部６４７の上側は開放部６４８になっている。
【００９０】
上側平面部６３１の右側後ろ寄りには、壁部及び突起によってソレノイド５２２のコイル５９４の放熱を行う放熱用開口部６５８が設けられている。
【００９１】
上側平面部６３１には、下側平面部５３１のボス５５９、５６０、５６１、５６２のネジ螺入部に連通するネジ挿通孔６５９、６６０、６６１、６６２が形成されている。上側平面部６３１のネジ挿通孔６５９、６６０、６６１、６６２の回りには、取付ネジ５０５のネジ頭が挿入される凹部が形成されている。
【００９２】
四本の取付ネジ５０５は、そのネジ部が上側平面部６３１のネジ挿通孔６５９、６６０、６６１、６６２に挿通し、下側平面部５３１のボス５５９、５６０、５６１、５６２のネジ螺入部に螺入して締め付けられることで、上側平面部６３１を下側平面部５３１にネジ止め固定する。
【００９３】
以下、台板部材７００について詳細に説明する。
【００９４】
台板部材７００の台板部材本体７０１は、枠状に形成され内側に前記大入賞口装置本体５００の前面側が嵌入される枠状部７１１と、前記枠状部７１１の外周にフランジ状に形成された台板７１２とを着色された合成樹脂で一体形成したものである。台板部材本体７０１は、合成樹脂の表面に鍍金が施され、完全に不透明になっている。
【００９５】
台板７１２には、開閉扉９１が挿入され大入賞口９３と連通する開口部７２１と、遊技板３００にネジ止めするための４個のネジ挿通孔７２２と、左側の透明部材７０２Ｌのハート部７９３、７９４、７９５を露出させるための３個のハート状の貫通部７２３、７２４、７２５と、右側の透明部材７０２Ｒのハート部７９６、７９７、７９８を露出させるための３個のハート状の貫通部７２６、７２７、７２８とを有している。
【００９６】
左側の透明部材７０２Ｌは、透明樹脂を一体形成したものであり、貫通部７２３、７２４、７２５により台板７１２の前方に露出するハート部７９３、７９４、７９５と台板７１２の裏側に係止する平面部７９１を一体形成したものである。
【００９７】
右側の透明部材７０２Ｒは、透明樹脂を一体形成したものであり、貫通部７２６、７２７、７２８により台板７１２の前方に露出するハート部７９６、７９７、７９８と台板７１２の裏側に係止する平面部７９２を一体形成したものである。
【００９８】
枠状部７１１の背面側の左右には、左右一対の係止部形成部材７０３Ｌ、７０３Ｒが取付ネジ７０４Ｌ、７０４Ｒによりネジ止め固定されるようになっている。
【００９９】
左側の係止部形成部材７０３Ｌは、透明樹脂を一体形成したものであり、上方に延びる垂直部７６２Ｌと右側に延びる水平部７６３Ｌとから成るＬ字状のブロック部７６１Ｌを基本構造としている。
【０１００】
垂直部７６２Ｌの上面前側には、枠状部７１１の突起部が挿入される挿入孔７６５Ｌが形成された舌片７６４Ｌが形成されている。水平部７６３Ｌの右面前側には、取付ネジ７０４Ｌのネジ部が挿通するネジ挿通孔７６７Ｌを形成した舌片７６６Ｌが設けられている。垂直部７６２Ｌと水平部７６３Ｌとの間のコーナー内側には、板状部７６８Ｌが突出して設けられている。水平部７６３Ｌの前面には、左側の透明部材７０２Ｌを後側から押さえつける突起部７６９Ｌが設けられている。平部７６３Ｌの上面後側には、下側ケース５１１の溝部５６４に係止する係止部７７０Ｌが形成されている。
【０１０１】
右側の係止部形成部材７０３Ｒは、透明樹脂を一体形成したものであり、上方に延びる垂直部７６２Ｒと左側に延びる水平部７６３Ｒ｛図７（ａ）参照｝とから成るＬ字状のブロック部７６１Ｒを基本構造としている。
【０１０２】
垂直部７６２Ｒの上面前側には、枠状部７１１の突起部が挿入される挿入孔７６５Ｒが形成された舌片７６４Ｒが形成されている。水平部７６３Ｒの左面前側には、取付ネジ７０４Ｒのネジ部が挿通するネジ挿通孔７６７Ｒを形成した舌片７６６Ｒが設けられている。垂直部７６２Ｒと水平部７６３Ｒとの間のコーナー内側には、板状部７６８Ｒが突出して設けられている。水平部７６３Ｒの前面には、右側の透明部材７０２Ｒを後側から押さえつける突起部７６９Ｒが設けられている。平部７６３Ｒの上面後側には、下側ケース５１１の溝部５６５に係止する係止部７７０Ｒ｛図７（ａ）参照｝が形成されている。
【０１０３】
図６（ａ）は、大入賞口装置本体５００の組み立てた状態の右斜め上方から見た斜視図、図６（ｂ）は、大入賞口装置本体５００の組み立てた状態の右斜め下方から見た斜視図である。
【０１０４】
図６（ａ）において、大入賞口装置本体５００の組み立てた状態では、上側ケース５１２が四本の取付ネジ５０５により下側ケース５１１にネジ止め固定され、下側ケース５１１の左の側壁５３２と上側ケース５１２の左の側壁６３２は、ケース５０１の左面５１３を構成し、下側ケース５１１の右の側壁５３３と上側ケース５１２の右の側壁６３３は、ケース５０１の右面５１４を構成し、下側ケース５１１の後側壁部５３４と上側ケース５１２の後側壁部６３４は、ケース５０１の後面５１５を構成する。
【０１０５】
左前側段部６３５の平面部６７２の貫通孔６７４には、ボス５５１の先端部が嵌入してボス５５１のネジ螺入部５５３が外部に露出している。右前側段部６３６の平面部６８２の貫通孔６８４には、ボス５５２の先端部が嵌入してボス５５２のネジ螺入部５５４が外部に露出している。
【０１０６】
ケース５０１の前面には、大入賞口９３が形成される。
【０１０７】
下側ケース５１１の軸受け部５３７、５３８には、開閉扉９１の左右のピン４０２Ｌ、４０２Ｒが回動可能な状態で軸受され、左右のピン４０２Ｌ、４０２Ｒは突出片６７６、６８６によって軸受け部５３７、５３８から脱落するのが防止される。
【０１０８】
上側ケース５１２の開放部６４８と下側ケース５１１の図６（ｂ）に示す開放部５４８は、連通して第１始動口１０５または第２始動口１２０に入賞した遊技球が通過する。ソレノイド５２２のコイル５９４から発生する熱は、図６（ａ）に示す上側平面部６３１の放熱用開口部６５８及び図６（ｂ）に示す下側平面部５３１の放熱用開口部５５８によって放熱される。
【０１０９】
図６（ｂ）において、下側平面部５３１の左前側コーナー及び右前側コーナー下には、上方に窪む段部５６６、５６７が形成されている。下側平面部５３１の段部５６６、５６７より所定間隔を置いた後方には、左右方向の溝部５６４、５６５が形成されている。
【０１１０】
遊技球センサ５０３、５０４を収納する収納部５４３、５４４の下方には、下側平面部５３１を貫通して放熱用開口部５６８、５６９が設けられている。
【０１１１】
遊技球センサ５０３、５０４の後ろ側と壁部５４５、５４６により囲まれる空間の下方には、下側平面部５３１を貫通して遊技球を下方に通過させる開口部５０７、５０８が設けられている。
【０１１２】
図７（ａ）は台板部材７００の後側斜め上方から見た分解斜視図、図７（ｂ）は組み立てた状態の台板部材７００の後側斜め上方から見た斜視図である。図８は台板部材７００に大入賞口装置本体５００をネジ止め固定した状態の大入賞口ユニット９の前側右斜め上方から見た斜視図である。図９は台板部材７００に大入賞口装置本体５００をネジ止め固定した状態の大入賞口ユニット９の後側右斜め上方から見た斜視図である。
【０１１３】
図７（ａ）において、台板部材本体７０１の枠状部７１１は、台板７１２から後方に突出する上下の水平壁部７３１、７３２及び左右の湾曲壁部７３３、７３４を備える。
【０１１４】
上下の水平壁部７３１、７３２は、後方から見て開口部７２１の上側及び下側にそれぞれ設けられる。
【０１１５】
左の湾曲壁部７３３は、ハート状の貫通部７２３、７２４の左側に設けられている。
【０１１６】
右の湾曲壁部７３４は、ハート状の貫通部７２６、７２７の右側に設けられている。
【０１１７】
左の湾曲壁部７３３の上側は、段部を形成する水平のネジ締着部７３５及び上側垂直壁部７３６を介して上側水平壁部７３１に繋がる。ネジ締着部７３５には、取付ネジ８０１Ｌ（図５参照）のネジ部が挿通されるネジ挿通孔７３７が形成されている。左の湾曲壁部７３３の上部及びネジ締着部７３５の前側には、左側の透明部材７０２Ｌを挿入するためのスリット７３８が形成されている。
【０１１８】
右の湾曲壁部７３４の上側は、段部を形成する水平のネジ締着部７４５及び上側垂直壁部７４６を介して上側水平壁部７３１に繋がる。ネジ締着部７４５には、取付ネジ８０１Ｒ（図５参照）のネジ部が挿通されるネジ挿通孔７４７が形成されている。右の湾曲壁部７４３の上部及びネジ締着部７４５の前側には、右側の透明部材７０２Ｒを挿入するためのスリット７４８が形成されている。
【０１１９】
枠状部７１１の裏面における左の湾曲壁部７３３の内側の上下位置には、突起部７３９及びボス７４０が形成されている。突起部７３９は、係止部形成部材７０３Ｌの挿入孔７６５Ｌに挿入する。ボス７４０には、係止部形成部材７０３Ｌのネジ挿通孔７６７Ｌに挿通した取付ネジ７０４Ｌのネジ部が螺入されるネジ螺入部７４１が形成されている。
【０１２０】
枠状部７１１の裏面における右の湾曲壁部７３４の内側の上下位置には、突起部７４９及びボス７５０が形成されている。突起部７４９は、係止部形成部材７０３Ｒの挿入孔７６５Ｒに挿入する。ボス７５０には、係止部形成部材７０３Ｒのネジ挿通孔７６７Ｒ（図５参照）に挿通した取付ネジ７０４Ｒのネジ部が螺入されるネジ螺入部７５１が形成されている。
【０１２１】
枠状部７１１の裏面の左端及び右端の近傍には、遊技板３００（図４参照）に形成された位置決め用の穴に挿入するボス７５２が形成されている。
【０１２２】
台板部材７００を組み立てる場合には、台板部材本体７０１のスリット７３８、７４８に透明部材７０２Ｌ、７０２Ｒを挿入し、台板部材本体７０１の貫通部７２３、７２４、７２５に左側の透明部材７０２Ｌのハート部７９３、７９４、７９５を挿入し、台板部材本体７０１の貫通部７２６、７２７、７２８に左側の透明部材７０２Ｌのハート部７９６、７９７、７９８を挿入する。
【０１２３】
次に、図７（ａ）に示す係止部形成部材７０３Ｌの挿入孔７６５Ｌに台板部材本体７０１の突起部７３９を挿入し、係止部形成部材７０３Ｌの突起部７６９Ｌにより透明部材７０２Ｌを押さえつけた状態で、取付ネジ７０４Ｌのネジ部を係止部形成部材７０３Ｌのネジ挿通孔７６７Ｌに挿通しボス７４０のネジ螺入部７４１に螺入して締め付ける。これにより、図７（ｂ）に示すように、係止部形成部材７０３Ｌは、台板部材本体７０１の左の湾曲壁部７３３の後ろ側にネジ止め固定され、透明部材７０２Ｌは、ハート部７９３、７９４、７９５が台板部材本体７０１の貫通部７２３、７２４、７２５に挿入した状態で台板部材本体７０１に固定される。
【０１２４】
次に、図７（ａ）に示す係止部形成部材７０３Ｒの挿入孔７６５Ｒに台板部材本体７０１の突起部７４９を挿入し、係止部形成部材７０３Ｒの突起部７６９Ｒにより透明部材７０２Ｒを押さえつけた状態で、取付ネジ７０４Ｒのネジ部を係止部形成部材７０３Ｒのネジ挿通孔７６７Ｒに挿通しボス７５０のネジ螺入部７５１に螺入して締め付ける。これにより、図７（ｂ）に示すように、係止部形成部材７０３Ｒは、台板部材本体７０１の右の湾曲壁部７３４の後ろ側にネジ止め固定され、透明部材７０２Ｒは、ハート部７９６、７９７、７９８が台板部材本体７０１の貫通部７２６、７２７、７２８に挿入した状態で台板部材本体７０１に固定される。
【０１２５】
次に、図７（ｂ）に示す組み立てた状態の台板部材７００に大入賞口装置本体５００を取り付け固定する場合について説明する。
【０１２６】
図７（ｂ）に示す台板部材７００に図６に示す大入賞口装置本体５００を取り付け固定する場合、台板部材７００の後ろ側から開口部７２１に大入賞口装置本体５００の開閉扉９１を挿入し、枠状部７１１の上下の水平壁部７３１、７３２の間に大入賞口装置本体５００のケース５０１の前側部を挿入し、係止部形成部材７０３Ｌ、７０３Ｒの係止部７７０Ｌ、７７０Ｒを下側ケース５１１の溝部５６４、５６５｛図６（ｂ）参照｝に係止し、上側ケース５１２の左前側段部６３５に枠状部７１１のネジ締着部７３５及び水平壁部７３６を挿入し、上側ケース５１２の右前側段部６３６に枠状部７１１のネジ締着部７４５及び水平壁部７４６を挿入する。次に、取付ネジ８０１Ｌ、８０１Ｒ（図５参照）のネジ部を水平壁部７３６、７４６のネジ挿通孔７３７、７４７に挿通し、上側ケース５１２の水平面部６７２、６８２の貫通孔６７４、６８４から露出するボス５５１、５５２のネジ螺入部５５３、５５４に螺入して締め付けることで、図８及び図９に示すように台板部材７００に大入賞口装置本体５００をネジ止め固定する。
【０１２７】
図１０は台板部材７００に大入賞口装置本体５００を取り付け固定した状態における左側の係止部形成部材７０３Ｌの周辺部の断面図である。
【０１２８】
台板部材７００に大入賞口装置本体５００をネジ止め固定した状態では、台板部材７００の係止部形成部材７０３Ｌの係止部７７０Ｌが大入賞口装置本体５００の下側ケース５１１の溝部５６４を後方から係止するとともに、板状部７６８Ｌが下側ケース５１１の段部５６６に挿入して前方から係止することで係止部形成部材７０３Ｌが大入賞口装置本体５００の下側の前後の移動を阻止し、取付ネジ８０１Ｌのネジ部を、ネジ締着部７３５のネジ挿通孔７３７に挿通し、上側ケース５１２の水平面部６７２の貫通孔６７４から露出するボス５５１のネジ螺入部５５３に螺入することでネジ締着部７３５と上側ケース５１２の水平面部６７２と下側ケース５１１のボス５５１の固定を行う。ここで、ボス５５１の先端側は他の部分より小径に形成された小径部５８１になっており、この小径部が上側ケース５１２の貫通孔６７４に嵌入して、ボス５５１と上側ケース５１２のガタツキを防止している。
【０１２９】
尚、図１０は台板部材７００に大入賞口装置本体５００を取り付け固定した状態における右側の係止部形成部材７０３Ｒ及びその周辺部は、左側の係止部形成部材７０３Ｌ及びその周辺部と左右対称の構造になっている。
【０１３０】
図１１は大入賞口ユニット９の開閉扉９１が大入賞口９３を開放した状態を示す斜視図である。
【０１３１】
通常時では、開閉扉９１は、扉本体４０１の板状部４０３が略上方に立った状態となり、図８に示すように閉鎖して大入賞口９３を閉塞しており、大入賞口９３に遊技球が入球することを阻止している。大当たり遊技が開始されたときには、主制御基板２０１（図２参照）による大入賞口開閉ソレノイド５２２への通電により図１１に示す開閉扉９１の扉本体４０１の板状部４０３が前方に傾倒した状態になり開閉扉９１が大入賞口９３を開放させる。大入賞口９３が開放した状態では、開閉扉９１の扉本体４０１の板状部４０３に落下した遊技球は、大入賞口９３に設けられた左右の壁部５３９、５４０や左右の傾斜部５４１、５４２に誘導され、遊技球センサ５０３、５０４（図５参照）の遊技球検出用貫通孔４１１、４１２（図５参照）の一方を通過して遊技球センサ５０３、５０４の後ろ側の開口部５０７、５０８｛図６（ｂ）参照｝の一方から下方に排出される。遊技球センサ５０３、５０４が遊技球を検出した場合、この検出信号は主制御基板２０１（図２参照）に送信される。
【０１３２】
図１２は、開閉扉９１の開閉動作を詳細に説明する説明図である。図１２（ａ）は開閉扉９１が大入賞口９３を閉塞した状態、図１２（ｂ）は開閉扉９１が大入賞口９３を開放する方向に動作している状態、図１２（ｃ）は開閉扉９１が開放した状態、図１２（ｄ）は開閉扉９１が閉塞した状態を示している。
【０１３３】
図１２（ａ）において、通常時では、大入賞口開閉ソレノイド５２２への通電が行われておらず、リング状部材５９６はコイルバネ５９８の付勢力により最も前方に押し出され、回動部材５２１の軸部５７８、５７９（図５参照）も前方に押し出され、回動部材５２１は左側から見て、最も時計回りの方向に回動された位置で停止し、回動部材５２１の係止爪部５７２の開閉扉９１の被係止部４０６を最も下側の位置に押し付けて、開閉扉９１の扉本体４０１の板状部４０３が略上方に立った状態となる。
【０１３４】
開閉扉９１を開放させる場合には、主制御基板２０１（図２参照）により大入賞口開閉ソレノイド５２２への通電が行われ、図１２（ｂ）に示すように、ソレノイド本体５９１がプランジャ５９５を吸引し、プランジャ５９５に取り付けられたリング状部材５９６はコイルバネ５９８の付勢力に逆らって後方に移動し、回動部材５２１の軸部５７８、５７９（図５参照）も後方に引き戻され、回動部材５２１は左側から見て反時計回りの方向に回動し、係止爪部５７２により開閉扉９１の被係止部４０６の係止が解除し、係止爪部５８０が開閉扉９１の被係止部４０７に下から係止して開放方向に力を加えて、開閉扉９１を左側から見て反時計回りの方向に回動させる。開閉扉９１を左側から見て反時計回りの方向にある程度回動すると、開閉扉９１の被係止部４０７から係止爪部５８０が離れるが、開閉扉９１は、慣性と自重により回動を継続し図１２（ｃ）に示す開閉扉９１の扉本体４０１の板状部４０３が前方に８０°程度傾倒した状態になり大入賞口９３を開放させる。この場合、扉本体４０１は、係止壁部４０４、４０５（図５参照）が上側ケース５１２における大入賞口９３の内側の縁に係止することで、図１２（ｃ）に示す回動位置に係止する。
【０１３５】
図１２（ｃ）に示す開閉扉９１が開放した状態から開閉扉９１を閉塞する場合には、主制御基板２０１（図２参照）が大入賞口開閉ソレノイド５２２への通電を停止する。これにより、リング状部材５９６はコイルバネ５９８の付勢力により最も前方に押し出され、回動部材５２１の軸部５７８、５７９（図５参照）も前方に押し出され、回動部材５２１は左側から見て、時計回りの方向に回動し、回動部材５２１の係止爪部５７２が開閉扉９１の被係止部４０６を下方向に押し付け、開閉扉９１は右側から見て反時計回り方向に回動し、図１２（ａ）に示した状態に戻る。
【０１３６】
このような構成及び動作を纏めて説明すると、大入賞口ユニット９は、遊技板３００を貫通する取付孔９２（図４参照）に取り付け固定される大入賞口装置になっている。
【０１３７】
大入賞口装置本体５００は、横長の箱状に形成され、下面前側の両脇に一対の溝部５６４、５６５が形成され、上面前側の両隅に下方に凹む一対の段部として左前側段部６３５及び右前側段部６３６が形成され、当該一対の左前側段部６３５及び右前側段部６３６の底面にネジ螺入部５５３、５５４が形成され、前面に遊技球が入球する大入賞口９３を有し、当該大入賞口９３を開閉する開閉扉９１を開閉自在に支持する。
【０１３８】
台板部材７００は、枠状に形成され内側に前記大入賞口装置本体５００の前面側が嵌入される枠状部７１１を有し、当該枠状部７１１の下側部に前記大入賞口装置本体５００の前記一対の溝部５６４、５６５に係止する一対の係止部７７０Ｌ、７７０Ｒが設けられ、前記枠状部７１１の上側部の両脇に前記大入賞口装置本体５００の前記一対の左前側段部６３５及び右前側段部６３６に挿入する一対のネジ締着部７３５、７４５が形成され、当該一対のネジ締着部７３５、７４５にネジ挿通孔７３７、７４７が形成され、前記枠状部７１１の外周にフランジ状に形成された台板７１２が設けられ、前記枠状部７１１が前記遊技板３００の前記取付孔９２に挿入された状態で前記台板７１２が前記遊技板３００の前面にネジ止めされる。
【０１３９】
一対の取付ネジ８０１Ｌ、８０１Ｒは、ねじ部が前記一対のネジ締着部７３５、７４５の前記ネジ挿通孔７３７、７４７に挿通し前記一対の左前側段部６３５及び右前側段部６３６の前記ネジ螺入部５５３、５５４に螺入して締め付けられることで、前記台板部材７００を前記大入賞口装置本体５００にネジ止め固定する。
【０１４０】
前記台板部材７００は、前記枠状部７１１の背面側の両脇にネジ止めにより取り付けられる一対の係止部形成部材７０３Ｌ、７０３Ｒを備える。
【０１４１】
前記台板部材７００の前記一対の係止部７７０Ｌ、７７０Ｒは、前記一対の係止部形成部材７０３Ｌ、７０３Ｒに設けられている。
【０１４２】
前記台板７１２の背面側には、透光性を有する透明部材７０２Ｌ、７０２Ｒが着脱可能な状態で取り付けられるとともに、当該台板７１２には、前記透明部材７０２Ｌ、７０２Ｒの一部を前面側に露出させる貫通部７２３、７２４、７２５、７２６、７２７、７２８が設けられている。
【０１４３】
前記一対の係止部形成部材７０３Ｌ、７０３Ｒには、前方に突出する押圧部として突起部７６９Ｌ、７６９Ｒが設けられ、当該押圧部突起部７６９Ｌ、７６９Ｒは、前記一対の係止部形成部材７０３Ｌ、７０３Ｒが前記台板部材７００にネジ止めされた状態で、前記台板７１２の背面側に取り付けられた前記透明部材７０２Ｌ、７０２Ｒを押さえる。
【０１４４】
以上、説明した本発明の実施形態によれば、大入賞口ユニット９は、台板部材７００の枠状部７１１の下側部に設けられた一対の係止部７７０Ｌ、７７０Ｒを前記大入賞口装置本体５００の前記一対の溝部５６４、５６５に係止し、台板部材７００の枠状部７１１の上側部に設けられたネジ締着部７３５、７４５を前記大入賞口装置本体５００の前記一対の左前側段部６３５及び右前側段部６３６に挿入し、一対の取付ネジ８０１Ｌ、８０１Ｒのねじ部を前記一対のネジ締着部７３５、７４５の前記ネジ挿通孔７３７、７４７に挿通し前記一対の左前側段部６３５及び右前側段部６３６の前記ネジ螺入部５５３、５５４に螺入して一対の取付ネジ８０１Ｌ、８０１Ｒを締め付けることで、台板部材７００に大入賞口装置本体５００をネジ止めしているので、大入賞口装置本体５００から取付片を突出させることなく当該大入賞口装置本体５００を台板部材７００にネジ止めにより強固に接続固定することができ、これにより各種役物を高密度で配置する場合の阻害要因を無くして遊技機の役物の配置の高密化を行うと共に、破損しにくくガタツキの無い強固なネジ止め構造を提供でき、遊技機の信頼性を向上できる。
【０１４５】
尚、本発明の実施形態では、前記台板７１２の背面側に透光性を有する透明部材７０２Ｌ、７０２Ｒを取り付けるため、下側ケース５１１の溝部５６４、５６５に係止する一対の係止部７７０Ｌ、７７０Ｒは、前記一対の係止部形成部材７０３Ｌ、７０３Ｒに設けたが、台板部材に透明部材を設けない場合、下側ケース５１１の溝部５６４、５６５に係止する係止部を台板部材の本体に一体で形成してもよい。
【符号の説明】
【０１４６】
１……遊技機、２……センター役物、９……大入賞口ユニット、
１５……ガラス扉、２１……枠部材、９１……開閉扉、９２……取付孔、
９３……大入賞口、１０１……遊技盤、３００……遊技板、
５００……大入賞口装置本体、５０１……ケース、
５０２……大入賞口開閉扉開閉装置、５０３、５０４……遊技球センサ、
５０５……ネジ、５５３、５５４……ネジ螺入部、５６４、５６５……溝部、
６３５……左前側段部、６３６……右前側段部、７００……台板部材、
７０１……台板部材本体、７０２Ｌ、７０２Ｒ……透明部材、
７０３Ｌ、７０３Ｒ……係止部形成部材、７０４Ｌ、７０４Ｒ……取付ネジ、
７１１……枠状部、７１２……台板、
７２３、７２４、７２５、７２６、７２７、７２８……貫通部、
７３５、７４５……ネジ締着部、７３７、７４７……ネジ挿通孔、
７６９Ｌ、７６９Ｒ……突起部、７７０Ｌ、７７０Ｒ……係止部、
８０１Ｌ、８０１Ｒ……取付ネジ
【図１】
2010284291.tif 000003
【図２】
2010284291.tif 000004
【図３】
2010284291.tif 000005
【図４】
2010284291.tif 000006
【図５】
2010284291.tif 000007
【図６】
2010284291.tif 000008
【図７】
2010284291.tif 000009
【図８】
2010284291.tif 000010
【図９】
2010284291.tif 000011
【図１０】
2010284291.tif 000012
【図１１】
2010284291.tif 000013
【図１２】
2010284291.tif 000014